(57)【要約】【課題】  カードに記憶される所定のカード情報に基づいてサービスの提供を行うカードシステムにおいて、そのサービス利用度を容易に確認可能とするシステムの提供。【解決手段】  カード１と、カード１の表面に貼着されるシール３と、カード１に備えられて所定のカード情報が記憶されるメモリ２１ａ、シール３の着脱情報を検出する端子部２４、並びに、カード情報及び着脱情報を通信可能なアンテナ部２２を有するＩＣタグ２と、アンテナ部２２と非接触で通信してメモリ２１ａに記憶されたカード情報及び端子部２４により検出された着脱情報の読み出し、並びにカード情報の書き換えを行うリーダライタ６と、着脱情報からシール３が剥脱状態であると判断されたときに、リーダライタによるカード情報の書き換えを可能とする制御を行う情報処理手段とから構成する。【選択図】図１
2006072883.tif 000002
【特許請求の範囲】
【請求項１】
カードと、
前記カードの表面に貼着されるシール部材と、
前記カードに備えられ、所定のカード情報を記憶する記憶手段、前記シール部材が前記カードに対して貼着状態であるか剥脱状態であるかの着脱情報を検出する状態検出手段、並びに、前記記憶手段に記憶された前記カード情報及び前記状態検出手段により検出された前記着脱情報を通信可能な通信手段を有するＩＣタグと、
前記通信手段と通信して前記記憶手段に記憶された前記カード情報及び前記状態検出手段により検出された前記着脱情報の読み出し、並びに前記カード情報の書き換えを行うリーダライタと、
前記着脱情報から前記シール部材が剥脱状態であると判断されたときに、前記リーダライタによる前記カード情報の書き換え制御を許容する情報処理手段とを有して構成されることを特徴とするカードシステム。
【請求項２】
前記情報処理手段が前記リーダライタを有してなる端末装置に備えられて構成されることを特徴とする請求項１に記載のカードシステム。
【請求項３】
前記シール部材が複数個設けられ、
前記記憶手段が前記シール部材のそれぞれに対応付けられて領域区分され、区分される各領域に前記カード情報がそれぞれ記憶されており、
前記情報処理手段は、前記剥脱状態の前記シール部材に対応付けられる領域に記憶されるカード情報の書き換え制御を許容することを特徴とする請求項１および２のいずれかに記載のカードシステム。
【請求項４】
前記状態検出手段が、前記記憶手段と配線により接続される１組の端子部を備えて構成され、
前記シール部材は、導電性材料で成型されており、前記カードに対して貼着状態のときに前記１組の端子部が電気的に接続され、前記カードに対して剥脱状態のときに前記１組の端子部が電気的に切断され、
前記着脱情報を、前記１組の端子部が電気的に接続されているときに前記貼着状態であるとし、前記１組の端子部が電気的に切断されているときに前記剥脱状態であるとして構成されることを特徴とする請求項１〜３のいずれかに記載のカードシステム。
【発明の詳細な説明】
【技術分野】
【０００１】
本発明は、ＩＣタグを備えるカードと、ＩＣタグと非接触で情報の送受信を行うリーダライタとを有して構成されるカードシステムに関する。
【背景技術】
【０００２】
一般に、カードに備えた情報記憶手段に金額情報、個人情報等の所定のカード情報を記憶させたプリペイドカード、乗車券カード等を利用したサービスを提供するためのカードシステムが知られている。このようなシステムに供されるカードとして、従来から、カード情報を記録する磁気ストライプを表面に備えた磁気カード、ＩＣチップに記憶したカード情報を非接触で読み書き可能なＩＣタグを内蔵したＩＣカード等が利用されている（例えば、特許文献１）。
【特許文献１】特開２００２−１７５５４４号公報
【発明の開示】
【発明が解決しようとする課題】
【０００３】
上記カードシステムは、各カードに定められたサービス利用限度のうちどの程度利用したか（利用度）を確認できるように構成されており、例えば、所定利用度毎にカードにパンチ孔を穿設する手段や、利用のたびに磁気インクをカード裏面に印刷する手段等が講じられている。しかしながら、上記手段によれば、カードシステムとして穿設装置、印刷装置等を別途必要とするという問題があった。
【０００４】
また、ＩＣカードを用いた場合においては、利用度を確認するための専用端末装置を利用しなければならず、カード自体に利用度が表示されないことから現況のサービス利用度が直ちにわかりにくく、専用端末装置を用いての確認は利用者にとって面倒となる問題があった。
【０００５】
上記問題に鑑みて本発明は、カードに記憶される所定のカード情報に基づいてサービスの提供を行うカードシステムにおいて、そのサービス利用度を容易に確認可能とするシステムを提供することを目的とする。
【課題を解決するための手段】
【０００６】
上記目的達成のため、本発明に係るカードシステムは、カードと、カードの表面に貼着されるシール部材と、カードに備えられ、所定のカード情報が記憶される記憶手段（例えば、実施形態におけるメモリ２１ａ）、シール部材がカードに対して貼着状態であるか剥脱状態であるかの着脱情報を検出する状態検出手段（例えば、実施形態における端子部２４）、並びに、記憶手段に記憶されたカード情報及び状態検出手段により検出された着脱情報を通信可能な通信手段（例えば、実施形態におけるアンテナ部２２）を有するＩＣタグと、通信手段と非接触で通信して記憶手段に記憶されたカード情報及び状態検出手段により取得された着脱情報の読み出し、並びにカード情報の書き換えを行うリーダライタと、着脱情報からシール部材が剥脱状態であると判断したときに、リーダライタによるカード情報の書き換え制御を許容する情報処理手段とを有して構成している。
【０００７】
なお、情報処理手段を、リーダライタを有してなる端末装置に備えて構成してもよい。
【０００８】
また、シール部材を複数個設け、記憶手段をシール部材のそれぞれに対応して領域区分し、区分される各領域にカード情報を記憶させ、情報処理手段により剥脱状態のシール部材に対応する領域に記憶されるカード情報の書き換え制御を許容するように構成することが好ましい。
【０００９】
また、上記状態検出手段を記憶手段と配線により接続される１組の端子部を備えて構成し、シール部材を導電性材料により成型し、シール部材がカードに対して貼着状態のときに端子部を電気的に接続し、カードに対して剥脱状態のときに端子部を電気的に切断し、着脱情報を端子部が電気的に接続されているときに貼着状態であるとし、端子部が電気的に切断されているときに剥脱状態であるとして構成してもよい。
【発明の効果】
【００１０】
本発明に係るカードシステムは、ＩＣタグに記憶される所定のカード情報をシール部材が剥脱状態とならなければ書き換えが許容されない構成、即ち、シール部材が剥脱状態とならければ該カードを供したサービスを受けることができない構成としている。また、このシール部材はカードの表面に貼着されているものとし、貼着状態であるか剥脱状態であるかがカードを見て確認できる構成としている。このため、シールの着脱状態を視認してカードがサービスの提供を受けられる状態か否かを確認することができる。
【００１１】
また、シール部材を複数設け、各シール部材に対応付けてカード情報をそれぞれ記憶させることにより、剥脱状態のシール部材の個数を確認することによって一定範囲内で現況の利用度を把握することが可能となる。
【００１２】
そして、シールの着脱状態を検出する状態検出手段を一対の端子部を備えて構成し、シール部材を導電性材料で成型するとともにこの端子部を覆って貼着する構成により、上記のようにカードに貼着されるシールを視認することにより利用状況を確認可能とするＩＣカードを利用したカードシステムを容易に構成することができる。
【発明を実施するための最良の形態】
【００１３】
以下、本発明の好ましい実施形態について図面を参照して説明する。本発明に係るカードシステムＣＳは、図１に示すように、例えば樹脂材等により成型されて略矩形平板状の本体１１に記憶情報を非接触（電磁波）で出力可能なＩＣタグ２を内蔵するとともにシール３が本体１１の表面に貼着されてなるカード１と、ＩＣタグ２が記憶する情報を非接触で読み出し及び書き換え可能に構成される端末装置５とを有して構成される。
【００１４】
図２の構成概略図を併せて参照すると、カード１に内蔵されるＩＣタグ２は、所定のカード情報Ｉ１を記憶するメモリ２１ａ、情報処理部２１ｂ等を備えたＩＣチップ２１、外部と無線通信を行うアンテナ部２２、ＩＣチップ２１と電気的に接続して２本１組とされる複数組の配線２３，２３，…とを有して構成されており、各配線２３の先端部には、相互に隣接してカード本体１１の表面に露出する一対の電極２４ａ，２４ｂからなる端子部２４が接続されている。
【００１５】
メモリ２１ａに記憶されるカード情報Ｉ１には、ＩＤ情報、利用情報、利用日時情報などがある。なお、利用情報は、例えばカード１がプリペイドカードとして供される場合にはサービス利用ごとの消費金額情報、あるいは残金情報など、カードシステムＣＳにより提供されるサービス内容に応じて適宜定め得るものである。
【００１６】
シール３は、例えばアルミ箔等の導電性材料で成型され、カード本体１１の表面に露出する端子部２４，２４，…をそれぞれ覆って貼着されている。これにより、シール３がカード本体１１に対して貼り着いた状態（貼着状態）であれば、端子部２４は電気的に接続状態となり、シール３がカード本体１１に対して剥がれた状態（剥脱状態）であれば、端子部２４は電気的に切断状態となる。
【００１７】
シール３が貼着状態とされて端子部２４が導通するときにＩＣチップ２１に入力される信号を「０」とし、シールが剥脱状態とされて端子部が導通しないときにＩＣチップ２１に入力される信号を「１」とすると、シール３が貼着状態であるか剥脱状態であるかによって複数の情報（以下、着脱情報と称する）を表現できる。
【００１８】
このようなカード１において、本実施例では図３に示すように、それぞれの表面に「１」〜「１２」の番号が順に付されて識別可能なシール３ａ，３ｂ，…，３ｌがカード本体１１に貼着されており、貼着されるそれぞれのシール３の裏側にはＩＣタグ２の端子部２４が設けられている。図３(Ａ)に示すように「１」が表面に付されたシール３ａが剥脱状態であり、残りのシール３ｂ，３ｃ，…，３ｌが貼着状態であれば、図３(ａ)に示すように着脱情報を「１０００００００００００」と表現できる。
【００１９】
また、メモリ２１ａは、端子部２４，２４，…と対応して、即ち各シール３ａ，３ｂ，…，３ｌに対応して領域区分されており、区分される領域ごとに上記カード情報Ｉ１のうち利用情報および利用日時情報、および「１」と「０」の２値からなる状態情報Ｉ２がそれぞれ記憶されている。この状態情報Ｉ２は、下記説明においても述べるが、ある領域において「１」が記憶されていれば同領域に格納されるカード情報の書き換えができるように処理し、「０」であれば同領域に格納されるカード情報の書き換えができないように処理するために用いられるものである。
【００２０】
カードシステムＣＳに用いられる端末装置５は、図１に示すように、アンテナ部６１を有してＩＣタグ２と非接触で情報の送受信を行うリーダライタ６と、リーダライタ６から読み出される着脱情報に基づいてリーダライタ６からＩＣタグ２への情報送信を制御する処理装置７と、処理装置７に接続される表示装置８とから構成され、処理装置７により、リーダライタ６が読み出した情報に基づき、表示装置８への表示制御が行われる。このような端末装置５は、カード１を用いて提供されるサービスの利用箇所に適宜配設されている。
【００２１】
以下、上記構成のカードシステムＣＳにおける処理内容について図４に示すフローチャートを参照して説明する。まず、処理装置７によりリーダライタ６が制御されて電波を送信し、ＩＣタグ２と通信して着脱情報および状態情報が読み出される（ステップＳ１）。読み出された着脱情報及び状態情報に基づき、着脱情報が「１」であり且つ状態情報が「０」であるシール、即ち、カード本体１１に対して剥脱状態である一方で、対応付けられる領域に記憶されるカード情報が書き換えできないシールがあるか否かが判断される（ステップＳ２）。
【００２２】
例えば、図３(Ａ)に示すように、「１」と付されたシール３ａのみが剥脱状態とされて該シール３ａに対応して記憶されるカード情報に基づくサービス提供を既に受けたことがあれば、図３(ａ)に示すように、シール３ａの（着脱情報，状態情報）が（１，１）とされ、残りのシール３ｂ，３ｃ，…，３ｌの（着脱情報，状態情報）が（０，０）となる。このような場合は、ステップＳ２での判断処理を受け、メモリ２１ａにおける「１」と付されたシール３ａに対応付けられた領域に記憶されるカード情報に基づき、サービスが提供される（ステップＳ３）。
【００２３】
例えば、図３(Ｂ)に示すように、「１」と付されたシール３ａに対応して提供されるサービスが利用限度に達し、「２」と付されたシール３ｂがカード利用者により剥脱状態とされたカード１については、図３(ｂ)に示すように、「２」と付されたシール３ｂの（着脱情報，状態情報）が（１，０）となる。このような場合は、ステップＳ２での判断処理を受け、処理装置７によりリーダライタ６が制御されて電波を送信し、ＩＣタグ２と通信し、メモリ２１ａにおける「２」と付されたシール３ｂに対応付けられた領域に記憶される状態情報Ｉ２が「０」から「１」に書き換えられ（ステップＳ２１）、図３(Ｃ)および図３(ｃ)に示すように、「２」と付されたシール３ｂの（着脱情報，状態情報）が（１，１）となる。
【００２４】
状態情報Ｉ２の書き換え処理が行われると、処理装置７によりリーダライタ６が制御されて電波を送信し、ＩＣタグ２と通信して再度着脱情報及び状態情報が読み出され（ステップＳ２２）、ステップＳ２１の処理において状態情報の書き換えがなされたかどうかの確認が行われる（ステップＳ２３）。書き換えの完了が確認されると、メモリ２１ａにおける「２」と付されたシール３ｂが貼着されていた端子部２４に対応付けられた領域のカード情報の書き換えが可能となる（ステップＳ２４）。上記したように、提供されるサービス内容によりメモリ２１ａに記憶されるカード情報は様々であるが、消費金額情報、残金情報等の書き換えが行われることとなり、つまり、カード１を供して提供されるサービスの利用が許可されることとなり、メモリ２１ａにおける「２」と付されたシール３ｂに対応付けられた領域に記憶されるカード情報に基づき、サービスが提供される（ステップＳ３）。
【００２５】
ステップＳ３においてサービスの提供が行われるときには、リーダライタ６により読み出されたカード情報に基づいて、処理装置７により表示装置８の表示制御が行われる。例えば、図３に示すように「１」〜「１２」の番号が順に付されるシール３ａ，３ｂ，…，３ｌがカード本体１１に貼着されており、これらシールに対応付けられて区分される領域ごとに所定の金額情報を記憶したカード１をプリペイドカードとし、「１」と付されるシール３ａに対応付けられて記憶される金額情報を１月に利用可能とし、「２」と付されるシール３ｂに対応付けられて記憶される金額情報を２月に利用可能とするといったような制御を端末装置５側で行ってサービスを提供することが可能である。この場合、処理装置７による表示装置８の表示制御として、例えば、金額情報が減算されるたびに図５(ａ)に示すような表示を行ったり、図５(ｂ)に示すように、剥脱状態とされた過去のシールに対応して記憶されたカード情報を読み出して利用明細を確認可能とする表示制御を行うことも可能である。また、このような利用明細を明細書として出力する制御を行うことも可能である。
【００２６】
このようなカードシステムＣＳによれば、ＩＣタグに記憶されるカード情報をシール３が剥脱状態とならなければ書き換えできない構成、即ち、シール３が剥脱状態とならければ該カードを供したサービスを受けることができない構成としている。また、このシール３はカード本体１１の表面に貼着されているものとし、貼着状態であるか剥脱状態であるかを利用者が視認できる。このため、シールの着脱状態を視認することにより、カード１がサービスの提供を受ける状態か否かを確認することができる。さらに、このシール部材の着脱はカードの利用者によりなされ、サービスを受けるか否かの判断をカード利用者自身が選択することができる。
【００２７】
また、シール３を複数設け、シール３がそれぞれ貼着される端子部２４，２４，…にそれぞれ対応付けられてメモリ２１ａが領域区分され、区分された領域ごとにサービス利用のためのカード情報をそれぞれ記憶させる構成とすることにより、剥脱状態のシール３の個数を確認すれば、一定範囲内における現況の利用度を把握することが可能となる。
【００２８】
そして、このようなシールの着脱状態の検出を一対の端子部２４を備えて構成し、シール３を導電性材料で成型するとともにこの端子部２４を覆って貼着する構成としており、上記のようにカード本体１１に貼着されるシール３の着脱状態の視認により利用度を確認できるカード１を供したカードシステムを容易に構成することができる。
【００２９】
なお、上記実施例において着脱情報と対応付けて行われるカード情報の書き換え処理は、すべて端末装置５を構成する処理装置７により行うように構成したが、ＩＣタグ２のＩＣチップ２１に備えられる情報処理部２１ｂ等において処理を行うように構成しても、本発明を同様に実施することができ、同様の効果を得ることができる。
【００３０】
なお、上記カードシステムＣＳを利用したサービスについては、プリペイドカード、乗車券カード等、種々のサービス形態において利用可能であり、表示装置により表示される内容においても適宜変更可能である。
【図面の簡単な説明】
【００３１】
【図１】本発明に係るカードシステムの構成を示すブロック図である。
【図２】カードの構成を示す概略図である。
【図３】シールの着脱作用を示す図表である。
【図４】本発明に係るカードシステムの処理内容を示すフローチャートである。
【図５】表示装置における表示画面を例示する図である。
【符号の説明】
【００３２】
１  カード
２  ＩＣタグ
３  シール
５  端末装置
６  リーダライタ
７  処理手段
８  表示装置
２１  ＩＣチップ
２１ａ  メモリ（記憶手段）
２２  アンテナ部（通信手段）
２４  端子部
【図１】
2006072883.tif 000003
【図２】
2006072883.tif 000004
【図３】
2006072883.tif 000005
【図４】
2006072883.tif 000006
【図５】
2006072883.tif 000007